(57)【要約】【課題】扉をピン支承により回転可能に支持する扉の支持装置において、扉の開閉時の勢いを抑制し、また、過度に軽微な力では容易に開閉しないようにする。【解決手段】扉１７に固定される下部扉側部材３７と、床１２側に固定される床側部材４０とを備えた下部扉支持装置３５において、床側部材が有する下部ピン４２と下部扉側部材のピン嵌合穴３９のどちらか一方に摩擦抵抗部材２０が取り付けられる。下部ピン４２に取り付けられた摩擦抵抗部材２０と下部扉側部材のピン嵌合穴の間で摩擦抵抗が生じて、扉開閉に抵抗を与える。【選択図】図４
2010242368.tif 000002
【特許請求の範囲】
【請求項１】
扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部ピンと下部扉側部材のピン嵌合穴の少なくとも一方に、摩擦抵抗部材を取り付けて、下部ピンと下部扉側部材のピン嵌合穴との間で摩擦抵抗を生じさせ、扉の回転に対して抵抗を与えるよう構成したことを特徴とする扉支持装置。
【請求項２】
扉枠と床で形成される開口部に設けられる扉に対して該扉の幅方向一側の上部をピン支承により支持する扉支持装置であって、扉枠側に固定される上枠側部材と、扉側に固定される上部扉側部材とを備え、上部扉側部材が有する上部ピンが上枠側部材のピン嵌合穴に回転自在に嵌入することにより扉の上部をピン支承する構成を有するものにおいて、上部ピンと上枠側部材のピン嵌合穴の少なくとも一方に、摩擦抵抗部材を取り付けて、上部ピンと上枠側部材のピン嵌合穴との間で摩擦抵抗を生じさせ、扉の回転に対して抵抗を与えるよう構成したことを特徴とする扉支持装置。
【発明の詳細な説明】
【技術分野】
【０００１】
本発明は、扉をピン支承により回転可能に支持する扉支持装置に関する。
【背景技術】
【０００２】
扉支持装置としては、たとえば下記特許文献１および２に記載されるように、上枠と左右縦枠とからなる扉枠と床とで形成される開口部に設けられる扉に対して該扉の幅方向一側の上部および下部をそれぞれピン支承により支持するタイプのものが知られている。上部支持手段は上枠と扉の上木口との間で扉を開閉可能に支持し、下部支持手段は扉の下木口と床との間で扉を開閉可能に支持する。
【０００３】
このようなタイプの扉支持装置は、扉の自重がかかる重心と支持手段との間の距離が短いので、扉の自重による曲げモーメントやせん断力が小さくなり、扉の支持側とは反対側が自重で下がってしまうことを防止すると共に、扉の開閉がスムーズで小さな力でも開閉動作が容易であるというメリットが発揮される。
【先行技術文献】
【特許文献】
【０００４】
【特許文献１】特開２００４−１５００２１号公報
【特許文献２】特開２００５−１３３５２６号公報
【発明の概要】
【発明が解決しようとする課題】
【０００５】
しかしながら、軽微な力でも開閉できることは必ずしもメリットばかりではなく、扉が勢いよく開閉して扉が人に当たったり、扉と枠との間に指を挟んだりして怪我をするおそれが生ずる。また、扉が勢いよく閉まる際の音が大きかったり、戸当たりが破損するという問題も懸念される。エアコンの風などでも扉が開閉してしまうこともある。さらには、扉枠の上部横枠が扉の開く方向に傾いて建て付けられている場合があり、この場合には扉の回転軸も扉の開く方向に傾斜するので、扉が勝手に開いてしまうことがある。
【０００６】
したがって、本発明が解決しようとする課題は、上記従来技術のタイプの扉支持装置に改良を加えて、扉の開閉時の勢いを抑制し、また、過度に軽微な力では容易に開閉しないようにすることである。
【課題を解決するための手段】
【０００７】
この課題を解決するため、請求項１に係る本発明は、扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部ピンと下部扉側部材のピン嵌合穴の少なくとも一方に、摩擦抵抗部材を取り付けて、下部ピンと下部扉側部材のピン嵌合穴との間で摩擦抵抗を生じさせ、扉の回転に対して抵抗を与えることを特徴とする。
【０００８】
請求項２に係る本発明は、扉枠と床で形成される開口部に設けられる扉に対して該扉の幅方向一側の上部をピン支承により支持する扉支持装置であって、扉枠側に固定される上枠側部材と、扉側に固定される上部扉側部材とを備え、上部扉側部材が有する上部ピンが上枠側部材のピン嵌合穴に回転自在に嵌入することにより扉の上部をピン支承する構成を有するものにおいて、上部ピンと上枠側部材のピン嵌合穴の少なくとも一方に、摩擦抵抗のある部材を取り付けて上部ピンと上枠側部材のピン嵌合穴との間で摩擦抵抗を生じさせ、扉の回転に対して抵抗を与えることを特徴とする。
【０００９】
本発明を適用できる扉は、扉枠を有し、その扉枠の開口部に水平面内での回転によって開閉するものである。この場合、扉は片側開きはもちろん両側開き（観音開き）のものでも良い。扉枠は、上枠と一対の縦枠を有する三方枠（または略門形）のものである。ピン支承は、ピボットヒンジに相当し、ピン周りの回転運動のみが自由で、軸方向や軸に直角の方向の移動を規制する支承方式である。
【発明の効果】
【００１０】
本発明によれば、扉の上部または下部に使用される扉支持装置において、扉を支承するピンがピン嵌合穴に嵌合された状態で扉を開閉するときに、ピンに取り付けられた摩擦抵抗部材がピン嵌合穴に接触、またはピン嵌合穴に取り付けられた摩擦抵抗部材がピンと接触して摩擦抵抗が生じ、回転することになるので、扉の開閉時の勢いを抑制し、また、過度に軽微な力では容易に開閉しないようにすることができる。
【図面の簡単な説明】
【００１１】
【図１】本発明が適用される扉装置の一例を示す正面図である。
【図２】図１におけるＡ−Ａ断面図である。
【図３】図１におけるＢ−Ｂ断面図である。
【図４】本発明の実施形態による扉支持装置（下部扉支持装置）の正面図（上下方向調整機構）である。
【図５】図４のａ−ａ断面図（水平方向調整機構）である
【図６】床側部材の平面図（ａ）および正面図（ｂ）である。
【図７】下部扉側部材のブロック（断面図（ａ））に床側部材のピン（断面図（ｂ））が嵌合した状態（断面図（ｃ））を示した一部省略断面図である。
【図８】下部ピンの他の実施形態を示した断面図である。
【図９】下部扉側部材のブロックの他の実施形態を示した断面図である。
【図１０】本発明の実施形態による扉支持装置（上部扉支持装置）の正面図である。
【図１１】上部扉側部材の正面図である。
【図１２】ピンが上枠側部材のピン嵌合穴に挿入された状態を示す図である。
【図１３】床側部材の他の実施形態による平面図（ａ）および正面図（ｂ）である。
【図１４】本発明の他の実施形態による下部扉側部材のブロック（断面図（ａ））に床側部材のピン（断面図（ｂ））が嵌合した状態（断面図（ｃ））を示した一部省略断面図である。
【図１５】下部ピンの他の実施形態を示した断面図である。
【図１６】本発明の他の実施形態による上部扉側部材の正面図である。
【図１７】本発明の他の実施形態による上部ピンがピン嵌合穴に挿入された状態を示す図である。
【発明を実施するための最良の形態】
【００１２】
以下、本発明を添付図面に示す幾つかの実施形態に則して詳述するが、本発明はこれら実施形態に限定されるものではなく、特許請求の範囲に規定される発明の範囲内において種々の変形や改変をなし得ることは云うまでもない。
【実施例１】
【００１３】
図１〜図３は本発明が適用される扉装置の一例を示す。この扉装置は、扉枠１と床１２で形成される開口部１４に扉１７を設けたものである。扉枠１は、上枠３および左右縦枠５、６を有する三方枠（または門形枠）で、バリアフリーのために下枠が無い。扉１７は、片開きで扉枠の開口部１４に対して水平面内で回転するように取り付けられる。
【００１４】
扉枠１および扉１７の材質は特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などで形成され、その表面に化粧材が設けられる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００１５】
扉１７は、その幅方向１９の右側（一側）２１の上部および下部において、それぞれ上部扉支持装置２５および下部扉支持装置３５によりピボットヒンジ（ピン支承）により支持される。ピボットヒンジは、その軸が垂直方向に設けられたピン周りの水平面内での回転が可能である。また、扉の左側（他側）で中間高さ位置寄りには取手２４が設けられる。
【００１６】
扉１７が閉じられた状態で扉１７は左右縦枠５、６および上枠３の幅方向中央に設けられた戸当り８に当接する。左側の戸当り８および上枠の戸当り８には緩衝片９が設けられる。緩衝片９は、扉１７が閉じられた際に、その衝撃と衝撃音を小さくする。
【００１７】
床１２は木質材、無機材など材料には限定されないが、たとえば合板、木質繊維板（ＭＤＦなど）、木削片板、単板積層板などの木質系床材の場合には床側部材の固定を木ネジ、釘などで固定することができる。床１２の表面には化粧材が設けられるが、先に挙げた化粧材と同じ材質のものを使用しても良い。
【００１８】
上部扉支持装置２５は、扉枠１の上枠３側に取り付けられる上枠側部材２７および扉上部に取り付けられる扉側部材２９を有する。上部扉支持装置２５の上枠側部材２７と扉側部材２９とは、扉側部材２９に設けられる上部ピン３１または上枠側部材２７に設けられるピン嵌合穴２８のどちらか一方に摩擦抵抗部材２０が取り付けられた状態で、上部ピン３１がピン嵌合穴２８に挿入され、ピン支承される。さらに、上部ピン３１は、その基端側につまみ３３が設けられ、このつまみ３３を下方に引くことにより上部ピン３１の先端が上枠側部材２７のピン嵌合穴２８から外れるようになっている。そして、上部ピン３１は常にコイルばね３４（図１０など：後述）により上方に付勢されている。
【００１９】
下部扉支持装置３５は、扉下部に取り付けられる下部扉側部材３７および床１２側に取り付けられる床側部材４０を有する。下部扉支持装置３５の扉側部材３７と床側部材４０とは、床側部材４０に設けられる下部ピン４２または扉側部材３７に設けられるピン嵌合穴３９のどちらか一方に摩擦抵抗部材２０が取り付けられた状態で、下部ピン４２がピン嵌合穴３９に挿入され、ピン支承される。扉側部材３７に設けられるピン嵌合穴３９が下部ピン４２に差し込まれることにより扉側部材３７が摩擦抵抗部材２０を介して下部ピン先端に載置され、下部ピン４２は略扉１７の重量を支える。なお、符号５４は床見切りを表す。
【００２０】
図１〜図３に加えてさらに図４〜図９を参照して、下部扉支持装置３５の構成について詳述する。上記したように、下部扉支持装置３５は、扉側に固定される下部扉側部材３７と、床１２側に固定される床側部材４０とを備える。下部扉側部材３７は、床側部材４０に設けられる下部ピン４２によりピン支承されるとともに、下部扉側部材３７は下部ピン４２に対して水平方向に微調整可能な下部水平方向調整機構８４と、下部ピン４２に対して上下方向に微調整可能な上下方向調整機構９６とを有する。
【００２１】
下部扉側部材３７は、板状の取付片３７ａと、この取付片３７ａの一辺片側寄りに立設される立設片３７ｂと、この立設片３７ｂの両側から延在する一対の軸受片３７ｃおよび先端側から延在する覆片３７ｄとを有する。立設片３７ｂ、軸受片３７ｃおよび覆片３７ｄは略立方体状の空間の隣り合う４面を覆う。下部扉側部材３７は、取付片３７ａにより扉の下木口１８ａに固定される。取付片３７ａは、ビス（図示せず）により３箇所のビス孔３８を介して扉の下木口１８ａに固定される。また、立設片３７ｂ、軸受片３７ｃおよび覆片３７ｄの外側はカバー９３で被覆されている。
【００２２】
下部扉側部材３７の立設片３７ｂ、軸受片３７ｃおよび覆片３７ｄの４片で囲まれる空間内にブロック８８が装着される。ブロック８８は円柱状で、その断面形状は矩形状部分８８ａと、略円形状部分８８ｂとを組み合わせた異形方円形である。ブロック８８の矩形状部分８８ａの水平方向には雌ネジ８９が形成される。
【００２３】
一方、下部扉側部材３７は、下部水平方向調整機構８４を有する（図５）。下部扉側部材３７の軸受片３７ｃ側には皿状孔（符号なし）が設けられ、この皿状孔に雄ネジ８６が形成された水平方向調整ネジ８５が挿入され、ブロックの雌ネジ８９に螺合される。水平方向調整ネジ８５の先端８７ｂ側は回動可能なように拡径してかしめられる。このように形成することにより、水平方向調整ネジの頭８７ａ側を回動することにより水平方向調整ネジ８５は、軸受片３７ｃに対しては相対的位置を変えずに回動するので、ブロック８８は水平方向調整ネジ８５の長手方向（図４の左右方向）に移動する。
【００２４】
さらに、下部扉側部材３７は上下方向調整機構９６を有する（図４）。上下方向調整機構９６は、ブロック８８の略円形状部分８８ｂの中心で上下方向に形成された孔９０およびこれに延在する雌ネジ９０ｂと、雌ネジ９０ｂに螺合する上下方向調整ネジ９１を含む。
【００２５】
孔９０の径は、下部ピン４２に摩擦抵抗部材２０が取り付けられた状態で挿入可能であり、摩擦抵抗部材２０と孔９０の側面または／および上下方向調整ネジ９１の先端面が接触して回動可能となる大きさである。上下方向調整ネジ９１を回動することにより上下方向調整ネジ９１が上下方向に移動し、下部の扉側部材３７の高さが変わるので、扉１７の高さが変わる。
【００２６】
下部扉側部材のピン嵌合穴３９は、孔９０の側面（ピン嵌合穴の側面３９ｂ）と上下方向調整ネジ９１の先端面（ピン嵌合穴の底面３９ａ）で形成される。
【００２７】
床側部材４０は、下部ピン４２と、異形三角形状の座４５とから形成される。座４５は、下部ピン４２がかしめにより固着されるとともに、一対の長孔４１が設けられる。床側部材４０は、この長孔４１を利用してビス（図示せず）により床１２に固定される。該ビスが通るビス孔が長孔４１とされることにより、床側部材４０の扉枠に対する固定位置を調整することができる。以上の説明は、床側部材４０を床１２に固定する実施例について説明したが、床側部材４０を扉縦枠６の床１２近傍に取り付けることもできる。
【００２８】
下部ピン４２は、円柱状に形成されている（図６）。下部ピン４２の先端面４２ａには摩擦抵抗部材２０が取り付けられている。摩擦抵抗部材２０は、円柱状で、下部ピン４２より高さは低く形成されている。摩擦抵抗部材２０を取り付けた下部ピン４２は、下部扉側部材３７のブロック８８に形成されたピン嵌合穴３９に挿入されるものであり、ピン嵌合穴３９も下部ピン４２と摩擦抵抗部材２０の形状に対応して円柱状の中空部を有するように形成されている。図７には、下部扉側部材３７のうち、取付片３７ａ、立設片３７ｂ、軸受片３７ｃ、覆片３７ｄおよびカバーを省略し、下部扉側部材３７を構成するブロック８８のピン嵌合穴３９（図７（ａ））に摩擦抵抗部材２０が取り付けられた下部ピン４２（図７（ｂ））が嵌合した状態（図７（ｃ））を示す。摩擦抵抗部材２０が固定された下部ピン４２が、ピン嵌合穴３９に挿入されたとき、摩擦抵抗部材２０の先端面がピン嵌合穴３９の底面３９ａと接触するとともに摩擦抵抗部材２０の側面２０ｂもピン嵌合穴３９の側面３９ｂの一部に接触するので、棒状のピンが摩擦抵抗部材２０を介さずに丸穴に挿入される構成の従来のピボットと比べて、摩擦抵抗が大きくなり、下部扉側部材３７の回転に抵抗を与えるので、扉１７の開閉時の勢いを抑制し、また、過度に軽微な力では容易に開閉しないようにすることができる。
【００２９】
摩擦抵抗部材２０は、下部ピン４２のピン先端面４２ａおよび／または側面４２ｂの、全面または一部に取り付けられる（図８（ａ）、（ｂ））。
【００３０】
摩擦抵抗部材２０の形状は、特に限定されない。摩擦抵抗部材２０は、下部ピン４２の先端面４２ａのみ、側面４２ｂのみ、または先端面４２ａから側面４２ｂにかけて取り付けられる。図８（ａ）では、摩擦抵抗部材２０の形状は、外径がピン嵌合穴３９の直径と等しく、内径が下部ピン４２の直径と等しく、かつ下部ピン４２の高さと等しい円筒状に形成され、円筒内部（ピン挿入孔２０ｃ）に下部ピン４２が挿入されて取り付けられる。図８（ｂ）では、摩擦抵抗部材２０の形状は、外径がピン嵌合穴３９の直径と等しく、下部ピン４２の高さと直径に等しい形状の円筒状の孔が底面を有したキャップ形状で形成され、円筒状の孔（ピン挿入孔２０ｃ）に下部ピン４２が挿入されて取り付けられている。摩擦抵抗部材２０の先端面２０ａ、側面２０ｂには複数の凸部を形成し、摩擦抵抗を調整することができる。摩擦抵抗部材２０が下部ピン４２の先端面４２ａおよび／または側面４２ｂに固定され、摩擦抵抗部材２０の先端面２０ａとピン嵌合穴３９の底面３９ａ、摩擦抵抗部材２０の側面２０ｂとピン嵌合穴３９の側面３９ｂが接触することで両者間に摩擦抵抗が生じ、下部扉側部材３７の回転に抵抗を与えるので、扉１７の開閉時の勢いを抑制し、また、過度に軽微な力では容易に開閉しないようにすることができる。
【００３１】
摩擦抵抗部材２０の材質は、合成樹脂、合成ゴム、金属等で構成される。摩擦抵抗部材２０が、弾性材料であれば、下部ピン４２の側面４２ｂに取り付けた場合は、摩擦抵抗部材２０を取り付けた状態の直径が、ピン嵌合穴３９の直径よりわずかに大きくなるようにすると、摩擦抵抗部材２０を縮めた状態で下部ピン４２をピン嵌合穴３９に嵌合させることができ、その時、摩擦抵抗部材２０は元の大きさに戻ろうとするので、ピン嵌合穴３９の側面３９ｂにより強く接触して、摩擦抵抗を大きくすることができる。
【００３２】
摩擦抵抗部材２０を下部ピン４２の側面４２ｂに取り付ける場合、下部ピン４２の内部に下部ピン４２に対して直角方向に、ピン嵌合穴３９の外側方向に付勢されたバネを取り付けて、下部ピン４２の側面４２ｂに取り付けられた摩擦抵抗部材２０をピン嵌合穴３９の外側方向に突出させて、摩擦抵抗をより大きくしてもよい（図８（ｃ））。
【００３３】
扉の開閉にともなう下部扉側部材の回転に対して、摩擦抵抗部材２０によって与える抵抗に加えて、下部扉側部材の側面からピン嵌合穴３９まで貫通するネジ穴を形成して、ネジを螺合し、ネジを締め付けることによりネジの先端をピン嵌合穴３９に嵌入されている摩擦抵抗部材２０の側面２０ｂまたは下部ピン４２の側面４２ｂに接触させて抵抗を与えてもよい。
【００３４】
下部ピン４２の形状は略棒状とされ、例えば、円柱状、四角柱状、三角柱状などに構成される。ピン先端面４２ａの形状は、例えば、平面状、凸型状、凹型状などとされ、摩擦抵抗部材２０を取り付けやすくするための突起などが形成されていてもよい。下部ピン４２に摩擦抵抗部材２０を取り付けた状態は、円柱状となるものが好ましい。
【００３５】
ピン嵌合穴３９の形状は、略筒状とされ、例えば、円筒状などに構成される。ピン嵌合穴３９の底面３９ａの形状は、例えば、平面状、凸型状、凹型状などとされる。
【００３６】
なお、下部扉側部材３７は、下部ピン４２に対して水平方向に微調整可能な下部水平方向調整機構８４を有するので、扉１７の下部を扉枠１に対して適正な位置に建付け調整することができる。さらに、下部扉側部材３７は、摩擦抵抗部材２０を取り付けた下部ピン４２に対して上下方向に微調整可能な上下方向調整機構９６を有するので、扉１７の下部を床１２に対して適正な高さ位置に建付け調整することができる。
【００３７】
摩擦抵抗部材６０は、下部ピン４２が嵌合する下部扉側部材のピン嵌合穴３９に取り付けてもよく、ピン嵌合穴３９の底面３９ａおよび／または側面３９ｂの、全面または一部に取り付けられる。
【００３８】
摩擦抵抗部材６０をピン嵌合穴３９に取り付ける場合の摩擦抵抗部材６０の形状は、特に限定されない。摩擦抵抗部材６０は、ピン嵌合穴３９の底面３９ａのみ、側面３９ｂのみ、または底面３９ａから側面３９ｂにかけて取り付けられる。図９（ａ）では、摩擦抵抗部材６０の形状は、直径がピン嵌合穴３９の直径と等しく、薄い円柱状に形成されており、ピン嵌合穴３９に取り付けられている。図９（ｂ）では、摩擦抵抗部材６０の形状は、外径がピン嵌合穴３９の直径と等しく、内径が下部ピン４２の直径と等しく、かつ下部ピン４２の長さ以下の高さの円筒状に形成され、ピン嵌合穴３９に取り付けられる。図９（ｃ）では、摩擦抵抗部材６０の形状は、外径がピン嵌合穴３９の直径と等しく、内径が下部ピン４２の直径と等しく、下部ピン４２の長さ以下の高さの円筒状の孔が底面を有したキャップ形状で形成され、ピン嵌合穴３９に取り付けられている。摩擦抵抗部材６０の底面６０ａ、ピン挿入孔６０の側面には、複数の凸部を形成し、摩擦抵抗を調整することができる。ピン嵌合穴３９に摩擦抵抗部材６０を取り付けた状態の内面は、円筒状の穴となることが好ましい。摩擦抵抗部材６０がピン嵌合穴３９の底面３９ａおよび／または側面３９ｂに固定され、ピン挿入孔６０ｃの側面と下部ピン側面４２ｂ、ピン挿入孔６０ｃの底面および側面と下部ピンの先端面４２ａおよび側面４２ｂと接触することで両者間に摩擦抵抗が生じ、下部扉側部材３７の回転に抵抗を与えるので、扉１７の開閉時の勢いを抑制し、また、過度に軽微な力では容易に開閉しないようにすることができる。
【００３９】
図１〜図３に加えてさらに図１０〜図１２を参照して、上部扉支持装置２５の構成について詳述する。前述のように、上部扉支持装置２５は、扉枠の上枠３側に固定される上枠側部材２７と、扉側に固定される上部扉側部材２９とを備える。上部扉側部材２９は、下部扉側部材３７に対して対向する位置に設けられ、その形状は下部扉側部材３７に対して略反対勝手である。
【００４０】
上部扉側部材２９は、コイルばね３４（付勢手段）により上向きに付勢されるとともに上下方向に移動可能な上部ピン３１と、この上部ピン３１に対して水平方向に微調整可能な上部水平方向調整機構７１とを有する。上部扉側部材２９は、上部扉側部材２９に設けられる上部ピン３１または上枠側部材２７に設けられるピン嵌合穴２８のどちらか一方に摩擦抵抗部材２０が取り付けられた状態で、上部ピン３１が上枠側部材２７のピン嵌合穴２８に摩擦抵抗部材２０を介して、回動可能に嵌入することによりピン支承される。
【００４１】
上部ピン３１は、円柱状に形成されている。上部ピン３１の先端面には摩擦抵抗部材２０が取り付けられている。摩擦抵抗部材２０を取り付けた上部ピン３１は、上枠側部材２７に形成されたピン嵌合穴２８に挿入されるものであり、ピン嵌合穴２８も上部ピン３１と摩擦抵抗部材２０の形状に対応して円柱状の中空部を有するように形成されている。図１２には、上部扉側部材２９のうち摩擦抵抗部材２０が取り付けられた上部ピン３１の先端部分以外の構成を省略し、上枠側部材２７のピン嵌合穴２８に上部ピン３１が嵌合した状態を示す。先端に摩擦抵抗部材２０が固定された上部ピン３１が、ピン嵌合穴２８に挿入されたとき、摩擦抵抗部材２０の先端面２０ａがピン嵌合穴２８の底面２８ａと接触するとともに摩擦抵抗部材２０の側面２０ｂもピン嵌合穴２８の側面２８ｂの一部に接触するので、棒状のピンが摩擦抵抗部材２０を介さずに丸穴に挿入される構成の従来のピボットと比べて、上部扉側部材２９の回転に抵抗を与えるので、扉１７の開閉時の勢いを抑制し、また、過度に軽微な力では容易に開閉しないようにすることができる。
【００４２】
摩擦抵抗部材２０は、上部ピン３１のピン先端面３１ａおよび／または側面３１ｂの、全面または一部に取り付けられる。
【００４３】
扉の開閉にともなう上部扉側部材の回転に対して、摩擦抵抗部材２０によって与える抵抗に加えて、上枠側部材の側面からピン嵌合穴２８まで貫通するネジ穴を形成して、ネジを螺合し、ネジを締め付けることによりネジの先端をピン嵌合穴２８に嵌入されている摩擦抵抗部材２０の側面２０ａまたは上部ピン３１の側面３１ｂに接触させて抵抗を与えてもよい。
【００４４】
上部扉側部材２９は、板状の取付片２９ａと、この取付片２９ａの一辺片側寄りに立設される立設片２９ｂと、この立設片２９ｂの両側から延在する一対の軸受片２９ｃおよび先端側から延在する覆片２９ｄとを有する。立設片２９ｂ、軸受片２９ｃおよび覆片２９ｄは略立方体状の空間の隣り合う４面を覆う。上部扉側部材２９は、取付片２９ａにより扉の上木口１８ｂに固定される。取付片２９ａは、ビス（図示せず）により３箇所のビス孔３０を介して扉の上木口１８ｂに固定される。また、立設片２９ｂ、軸受片２９ｃおよび覆片２９ｄの外側はカバー８０で被覆されている。
【００４５】
さらに、上部扉側部材の立設片２９ｂ、軸受片２９ｃおよび覆片２９ｄの４片で囲まれる空間内にブロック７７が装着される。ブロック７７は円柱状で、その断面形状は矩形状部分と、略円形状部分とを組み合わせた異形方円形である。ブロックの矩形状部分の水平方向には雌ネジ７８が形成される。
【００４６】
一方、扉側部材の軸受片２９ｃ側には皿状孔が設けられ、この皿状孔に雄ネジ７５が形成された水平方向調整ネジ７４が挿入され、ブロックの雌ネジ７８に螺合される。水平方向調整ネジ７４の先端７６ｂ側は回動可能なように拡径してかしめられる。このように形成することにより、水平方向調整ネジの頭７６ａ側を回動することにより水平方向調整ネジ７４は、軸受片２９ｃに対しては相対的位置を変えずに回動するので、ブロック７７は水平方向調整ネジ７４の長手方向（図１０の左右方向）に移動する。
【００４７】
先に記載したように、上部扉側部材２９は、コイルばね３４により上向きに付勢されるとともに上下方向に移動可能な上部ピン３１が、上部ピン３１または上枠側部材２７のピン嵌合穴２８のどちらか一方に摩擦抵抗部材２０が取り付けられた状態で、上枠側部材２７のピン嵌合穴２８に、摩擦抵抗部材２０を介して回動可能に嵌入することにより、ピン支承される。さらに、上部ピン３１は、その基端側につまみ３３が設けられ、このつまみ３３を下方に引くことにより上部ピン３１の先端が上枠側部材のピン嵌合穴２８から外れるようになっている。
【００４８】
上枠側部材２７は、板状の取付片２７ａと、その一辺側に延在させた軸受片２７ｂとを有する。取付片２７ａには上枠に取り付けるための４箇所の孔（図示せず）が設けられ、ビスをこれら孔に通して固定される。軸受片２７ｂにはピン嵌合穴２８が形成され、このピン嵌合穴２８に摩擦抵抗部材２０が取り付けられた上部ピン３１が抜き差し可能に嵌入される。さらに、軸受片２７ｂにはリブ２７ｄが形成され、このリブ２７ｄの先端寄りには覆い板２７ｅが設けられ、摩擦抵抗部材２０が取り付けられた上部ピン３１が十分に嵌入できるように形成される。
【００４９】
なお、上部扉側部材のピン３１は、コイルばね３４により上向きに付勢されるとともに上下方向に移動可能であるので、上部ピン３１を上下方向に移動させることにより扉１７の上部を扉枠１に対して簡単に着脱することができる。さらに、扉側部材２９は、上部ピン３１に対して水平方向に微調整可能な上部水平方向調整機構７１を有するので、扉１７の上部を扉枠１に対して適正な位置に建付け調整することができる。
【００５０】
この実施形態による上部扉側部材２９の上部ピン３１に摩擦抵抗部材２０を取り付ける構成は、前述の下部扉支持装置３５の床側部材４０の下部ピン４２に摩擦抵抗部材２０を取り付ける構成と同様であり、上枠側部材２７のピン嵌合穴２８に摩擦抵抗部材６０を取り付ける構成は、前述の下部扉支持装置３５の下部扉側部材３７のピン嵌合穴３９に摩擦抵抗部材６０を取り付ける構成と同様であるので、説明を省略する。
【実施例２】
【００５１】
次に、図１３〜図１５を参照して、本発明の他の実施形態による扉支持装置の構成について詳述する。この実施形態による扉支持装置は下部扉支持装置として構成されており、図１３〜図１５は実施例１の下部扉支持装置３５の構成を示す図６、図７および図８にそれぞれ対応するものであり、同一または対応する構成要素ないし部材には同一の符号を付してある。
【００５２】
この実施形態において、床側部材４０の下部ピン４２は略棒状ないし円柱状であるが、その先端４２ａに取り付けられる摩擦抵抗部材２０の形状が円錐台形状に形成されている（図１３、１４（ｂ））。摩擦抵抗部材２０は、その形状が下部扉側部材３７のブロック８８に形成されたピン嵌合穴３９に接触して、摩擦抵抗を生じながら下部扉側部材３７が回転自在に挿入されるものであり、したがって、ピン嵌合穴３９も摩擦抵抗部材２０の形状に対応して円錐台形状に形成されている（図１４（ａ））。
【００５３】
摩擦抵抗部材２０およびピン嵌合穴３９がこのような形状を有することにより、摩擦抵抗部材２０が固定して取り付けられた下部ピン４２がピン嵌合穴３９に挿入されたとき、摩擦抵抗部材２０の先端面２０ａと側面２０ｂがピン嵌合穴３９の底面３９ａと側面３９ｂに接触するので、棒状のピンが摩擦抵抗部材２０を介さずに丸穴に挿入される構成の従来のピボットと比べて、接触面積が大きく、摩擦抵抗も大きくなり、下部扉側部材３７の回転に抵抗を与えるので、扉１７の開閉時の勢いを抑制し、また、過度に軽微な力では容易に開閉しないようにすることができる。
【００５４】
摩擦抵抗部材２０の形状は、円錐状、半球状など摩擦抵抗部材２０とピン嵌合穴３９の接触面積が大きくなる形状に形成される（図１５）。また、下部ピン４２の形状を円錐台状、円錐状、半球状等として、摩擦抵抗部材２０にそれらの形状に対応した形状の中空部が形成される。
【００５５】
この実施形態による下部扉支持装置３５の上記以外の構成は実施例１の下部扉支持装置３５と同様であるので、詳細な説明を割愛する。
【００５６】
次に、図１６、図１７を参照して、本発明のさらに他の実施形態による扉支持装置の構成について詳述する。この実施形態による扉支持装置は上部扉支持装置として構成されており、図１６、図１７は実施例１の上部扉支持装置２５の構成を示す図１１および図１２にそれぞれ対応するものであり、同一または対応する構成要素ないし部材には同一の符号を付してある。
【００５７】
この実施形態において、上部扉側部材２９の上部ピン３１は略棒状ないし円柱状であるが、その先端３１ａに取り付けられる摩擦抵抗部材２０の形状が円錐台形状に形成されている（図１６）。摩擦抵抗部材２０は、その形状が上枠側部材２７に形成されたピン嵌合穴２８に接触して、摩擦抵抗を生じながら上部扉側部材２９が回転自在に挿入されるものであり、したがって、ピン嵌合穴２８も摩擦抵抗部材２０の形状に対応して円錐台形状に形成されている（図１７）。
【００５８】
摩擦抵抗部材２０およびピン嵌合穴２８がこのような形状を有することにより、摩擦抵抗部材２０が固定して取り付らけた上部ピン３１がピン嵌合穴２８に挿入されたとき、摩擦抵抗部材２０の先端面２０ａと側面２０ｂがピン嵌合穴２８の底面２８ａと側面２８ｂに接触するので、棒状のピンが摩擦抵抗部材２０を介さずに丸穴に挿入される構成の従来のピボットと比べて、接触面積が大きく、摩擦抵抗も大きくなり、上部扉側部材２９の回転に抵抗を与えるので、扉１７の開閉時の勢いを抑制し、また、過度に軽微な力では容易に開閉しないようにすることができる。
【００５９】
摩擦抵抗部材２０の形状は、円錐状、半球状など摩擦抵抗部材２０とピン嵌合穴２８の接触面積が大きくなる形状に形成される。また、上部ピン３１の形状を円錐台状、円錐状、半球状等として、摩擦抵抗部材２０にそれらの形状に対応した形状の中空部が形成される。
【００６０】
この実施形態による上部扉支持装置２５の上記以外の構成は実施例１の上部扉支持装置２５と同様であるので、詳細な説明を割愛する。
【産業上の利用可能性】
【００６１】
本発明は、集合住宅や個別住宅の扉あるいは事務所、店舗などの扉に対して幅広く利用可能である。
【符号の説明】
【００６２】
１  扉枠
２１  扉の幅方向１９の右側（一側）
２４  取手
３  上枠
３３  つまみ
３４  コイルばね
５，６  左右縦枠
５４  床見切り
８  戸当り
９  緩衝片
１２  床
１４  開口部
１７  扉
１８ａ  下木口
１９  扉の幅方向
２０  摩擦抵抗部材（ピンに取り付ける部材）
２０ａ  摩擦抵抗部材の先端面
２０ｂ  摩擦抵抗部材の側面
２０ｃ  摩擦抵抗部材のピン挿入孔
２５  上部扉支持装置
２７  上枠側部材
２８  上枠側部材のピン嵌合穴
２８ａ  上枠側部材のピン嵌合穴の底面
２８ｂ  上枠側部材のピン嵌合穴の側面
２９  上部扉側部材
３１  上部ピン
３１ａ  上部ピンの先端面
３１ｂ  上部ピンの側面
３５  下部扉支持装置
３７  下部扉側部材
３７ａ  取付片
３７ｂ  立設片
３７ｃ  軸受片
３７ｄ  覆片
３８  ビス孔
３９  下部扉側部材のピン嵌合穴
３９ａ  下部扉側部材のピン嵌合穴の底面
３９ｂ  下部扉側部材のピン嵌合穴の側面
４０  床側部材
４２  下部ピン
４２ａ  下部ピン４２の先端面
４２ｂ  下部ピン４２の側面
４２ｃ  下部ピンのバネ
６０  摩擦抵抗部材（ピン嵌合穴に取り付ける部材）
６０ａ  摩擦抵抗部材の底面
６０ｂ  摩擦抵抗部材の側面
６０ｃ  摩擦抵抗部材のピン挿入孔
７１  上部水平方向調整機構
８４  下部水平方向調整機構
８５  水平方向調整ネジ
８６  雄ネジ
８７ａ  水平方向調整ネジの頭
８７ｂ  水平方向調整ネジの先端
８８  ブロック
８９  雌ネジ
９０  孔
９１  上下方向調整ネジ
９３  カバー
９６  上下方向調整機構
【図１】
2010242368.tif 000003
【図２】
2010242368.tif 000004
【図３】
2010242368.tif 000005
【図４】
2010242368.tif 000006
【図５】
2010242368.tif 000007
【図６】
2010242368.tif 000008
【図７】
2010242368.tif 000009
【図８】
2010242368.tif 000010
【図９】
2010242368.tif 000011
【図１０】
2010242368.tif 000012
【図１１】
2010242368.tif 000013
【図１２】
2010242368.tif 000014
【図１３】
2010242368.tif 000015
【図１４】
2010242368.tif 000016
【図１５】
2010242368.tif 000017
【図１６】
2010242368.tif 000018
【図１７】
2010242368.tif 000019